(57)【要約】      （修正有）【課題】腕木と前桁との突合せ部のシールがしやすい簡易建物の提供。【解決手段】妻垂木１と前桁２と腕木３とのコーナー部に設けた屋根側面コーナー部品４を備え、屋根側面コーナー部品４は、側面パネル５の前側縁部を保持するパネル保持溝と、腕木３のパネル保持溝７内に挿入されて、腕木３先端と前桁２との間のシール８を受けるシール受け部９を有する。【選択図】図１
2019190050.tif 000002
【特許請求の範囲】
【請求項１】
妻垂木と前桁と腕木とのコーナー部に設けた屋根側面コーナー部品を備え、屋根側面コーナー部品は、側面パネルの前側縁部を保持するパネル保持溝と、腕木のパネル保持溝内に挿入されて、腕木先端と前桁との間のシールを受けるシール受け部を有することを特徴とする簡易建物。
【発明の詳細な説明】
【技術分野】
【０００１】
本発明は、テラス囲い、サンルーム等の簡易建物に関する。
【背景技術】
【０００２】
従来、テラス囲いやサンルーム等の簡易建物の施工においては、腕木の先端を前桁の後面に突き当てて金具で固定し、腕木と前桁との突合せ部をシーリング材でシールしている（例えば、非特許文献１参照。）。腕木には、屋根側面パネルを取付けるためのパネル保持溝が形成されており、腕木と前桁との突合せ部をシーリング材でシールする際、シーリング材が腕木のパネル保持溝に流れ、シールし難い問題があった。
【先行技術文献】
【非特許文献】
【０００３】
【非特許文献１】三協立山株式会社  三協アルミ社発行の施工要領書「晴れもよう３  土間仕様  施工要領書」Ｎｏ．ＨＺ０２０２Ｒ、２０１６年１２月、ｐ．５９
【発明の概要】
【発明が解決しようとする課題】
【０００４】
本発明は以上に述べた実情に鑑み、腕木と前桁との突合せ部のシールがしやすい簡易建物の提供を目的とする。
【課題を解決するための手段】
【０００５】
上記の課題を達成するために請求項１記載の発明による簡易建物は、妻垂木と前桁と腕木とのコーナー部に設けた屋根側面コーナー部品を備え、屋根側面コーナー部品は、側面パネルの前側縁部を保持するパネル保持溝と、腕木のパネル保持溝内に挿入されて、腕木先端と前桁との間のシールを受けるシール受け部を有することを特徴とする。
【発明の効果】
【０００６】
請求項１記載の発明による簡易建物は、妻垂木と前桁と腕木とのコーナー部に屋根側面コーナー部品が設けてあり、屋根側面コーナー部品は、腕木のパネル保持溝内に挿入されて、腕木先端と前桁との間のシールを受けるシール受け部を有することで、シールが腕木のパネル保持溝に流れるのをシール受け部で防げるので、腕木と前桁との突合せ部のシールがしやすく、シールが適切に行える。
【図面の簡単な説明】
【０００７】
【図１】図４のＡ−Ａ断面図である。
【図２】図１のＸ方向矢視図である。
【図３】図１のＢ−Ｂ断面図である。
【図４】（ａ）は本発明に係る簡易建物の一実施形態を示す正面図であり、（ｂ）は同簡易建物の側面図である。
【図５】（ａ）は屋根側面コーナー部品の平面図、（ｂ）は同側面図、（ｃ）は同後面図である。
【図６】腕木と前桁との突合せ部をシールするときの手順を示す図である。
【発明を実施するための形態】
【０００８】
以下、本発明の実施の形態を図面に基づいて説明する。図１〜４は、本発明の簡易建物の一実施形態であって、建物の外壁１０に沿って設置されるテラス囲いに適用した例を示している。本簡易建物は、図４に示すように、建物の外壁１０に左右一対の躯体方立１１，１１と、躯体方立１１，１１上に跨って垂木掛け１２が取付けられ、前側に左右一対の柱１３，１３が地面Ｇから立設され、左右の柱１３，１３の上端に雨樋１４を備えた前桁２が架設してあり、左右の躯体方立１１，１１と前桁２の間に腕木３，３が取付けてある。垂木掛け１２と前桁２間には、左右両端に妻垂木１，１が取付けてあり、妻垂木１，１の間に複数の垂木２７，２７，…が間隔をおいて取付けてあり、妻垂木１と垂木２７の間、垂木２７同士の間に、樹脂製の屋根パネル１５が取付けてある。妻垂木１と腕木３との間の開口部には、樹脂製の側面パネル５が取付けてある。腕木３の下の側面開口部１６と、前桁２の下の前面開口部１７には、引違い戸や折戸等の建具（図示省略）が取付けてある。柱１３，１３間の下部には下前桁１８が取付けてあり、柱１３の下部と躯体方立１１間には妻桁１９が取付けてあり、下前桁１８と妻桁１９に支持して床部２０が構成してある。
【０００９】
腕木３は、図１，２に示すように、略矩形断面の中空のアルミ形材よりなり、先端を前桁２の後面に突き当てて金具２１で固定した上で、前桁２との突合せ部をシール８でシールしてある。腕木３は、上面にパネル保持溝７が長手方向に沿って設けてあり、該パネル保持溝７に側面パネル５の下縁部を先付けビード２２と後付けビード２３を介して保持している。パネル保持溝７の外側の側壁には、パネル保持溝７内に入った結露水を屋外に排水するための排水部品２４が取付けてある。
【００１０】
前桁２は、図１に示すように、前側に雨樋１４を有し、上面に屋根パネル１５を押さえる押え片２５と、屋根パネル１５を受けるビード２６を長手方向に沿って有し、押え片２５とビード２６とで屋根パネル１５の前縁部を保持している。ビード２６の後側の前桁２の傾斜した上面には、妻垂木１と垂木２７の先端が突き当てられ、金具２８で固定してある。前桁２の上面の後側の位置には、屋根パネル１５の下面を伝ってきた結露水を受ける結露水受け溝２９が設けてある。前桁２の左右両端部には、キャップ３０が取付けてある。
【００１１】
図１〜３，５に示すように、妻垂木１と前桁２と腕木３とのコーナー部には、樹脂製の屋根側面コーナー部品４が設けてある。屋根側面コーナー部品４は、妻垂木１の下面と前桁２の後面と腕木３の上面とで形成されるコーナー部に嵌まる台形状部分３１と、腕木３のパネル保持溝７内に嵌合するパネル保持溝嵌合部３２と、腕木３の上面にネジ３３で固定されるネジ止め片３４とを一体に有している。台形状部分３１は、図３，５に示すように、平面視略Ｈ形断面となっており、前側にスリット３５が縦に形成してあり、後側に側面パネル５の前側縁部を保持するパネル保持溝６を有している。台形状部分３１の底部には、パネル保持溝嵌合部３２と連通する孔３６が形成されている。パネル保持溝嵌合部３２は、図２，５に示すように、腕木２のパネル保持溝７の内面に沿って形成された周壁３７と、周壁３７の前側を塞ぐように設けた垂直壁９（シール受け部に相当）を有している。垂直壁９は、図１，５に示すように、腕木３の先端から３ｍｍ程度後側に下がった位置にあって、パネル保持溝７内に充填されたシール８を受けている。
【００１２】
前桁２の結露水受け溝２９の後側の壁には、図２，３に示すように、屋根側面コーナー部品４の台形状部分３１の前側のスリット３５に対応した位置に排水孔３８が設けてあり、結露水受け溝２９に入った結露水は、排水孔３８からスリット３５を通って台形状部分３１の内部に導かれ、台形状部分３１の底部に形成された孔３６を通過して、シール８によるシール部よりも後側の腕木３のパネル保持溝７内に導かれる（図１の矢印３９参照）。腕木３のパネル保持溝７に入った結露水は、先に述べたように排水部品２４を通じて屋外に排水される。
【００１３】
腕木３を取付ける際の手順を説明する。まず、腕木３の先端よりパネル保持溝７内にパネル保持溝嵌合部３２を挿入して、屋根側面コーナー部品４を腕木３にあらかじめ取付けておく。このとき屋根側面コーナー部品４は、図６（ａ）に示すように、腕木３の先端より少し後側に下がった位置に配置しておく。次に、腕木３の先端を前桁２の後面に突き当てて金具２１で固定し、図６（ａ）に示すように、腕木３と前桁２との突合せ部に周囲からシール８を充填してシールする。このとき、腕木３のパネル保持溝７内にもシール８が充填される。その後、図６（ｂ）に示すように、屋根側面コーナー部品４を前側にスライドさせ前桁２に押し付ける。これにより、屋根側面コーナー部品４のパネル保持溝７内の垂直壁９によりパネル保持溝７内のシール８が押され、前桁２の後面に圧着する。その後、屋根側面コーナー部品４をネジ３３で腕木３に固定する。
【００１４】
以上に述べたように本簡易建物は、妻垂木１と前桁２と腕木３とのコーナー部に屋根側面コーナー部品４が設けてあり、屋根側面コーナー部品４は、腕木３のパネル保持溝７内に挿入されて、腕木３先端と前桁２との間のシール８を受けるシール受け部（垂直壁）９を有することで、シール８が腕木３のパネル保持溝７に流れるのをシール受け部９で防げるので、腕木３と前桁２との突合せ部のシールがしやすく、シールが適切に行える。
シール受け部９は、腕木３先端より後側に下がった位置に設けてあることで、シール８のためのスペースを確保して、シールをより確実に行える。
また、屋根側面コーナー部品４は、腕木３の長手方向にスライド可能に設けてあり、前桁２に押し付けて固定されるため、前桁２に腕木３を取付ける際に屋根側面コーナー部品４が邪魔にならず、施工がしやすい。前桁２と腕木３との突合せ部のシール作業も一層しやすくなる。
さらに、屋根側面コーナー部品４は、結露水を前桁２の結露水受け溝２９から腕木３のシール部よりも後側のパネル保持溝７内に導く排水経路３９を有するので、結露水を確実に屋外に排水できる。
【００１５】
本発明は以上に述べた実施形態に限定されない。屋根側面コーナー部品のシール受け部は、パネル保持溝に合わせて種々の形態で設けることができる。本発明は、テラス囲いに限らず、テラス屋根（側面と前面が囲われてないもの）、サンルーム、ガーデンルーム等、建物の外壁に沿って設置されるあらゆる簡易建物に適用することができる。
【符号の説明】
【００１６】
１  妻垂木
２  前桁
３  腕木
４  屋根側面コーナー部品
５  側面パネル
６  パネル保持溝
７  パネル保持溝（腕木）
８  シール
９  垂直壁（シール受け部）
【図１】
2019190050.tif 000003
【図２】
2019190050.tif 000004
【図３】
2019190050.tif 000005
【図４】
2019190050.tif 000006
【図５】
2019190050.tif 000007
【図６】
2019190050.tif 000008